(57)【要約】      （修正有）【課題】視界の確保に優れつつ、柄体の強度も確保できる安全かみそりを提供する。【解決手段】安全かみそりを、柄体２を水平状に掴持した状態において、刃ホルダー１を皮膚面に対し垂直状になる位置に構成することにより、刃ホルダーの周辺に上方、側方、及び下方の三方向から柄体の幅による視界の遮られが無く、毛剃りのための視界が確保されるので、必要な毛髪や眉毛の剃り落としを回避することができる。また、従来の安全かみそりのように視界を確保する為に柄体を細くしたり、透視用視界を設ける連結部品を必要としない構成なので柄体の幅を太く形成することにより柄体の強度が増し、使用中に柄体が折れ、肌を傷つける事故を回避することができる。【選択図】図１
2015100584.tif 000002
【特許請求の範囲】
【請求項１】
剃刀刃と、この剃刀刃を保持する刃ホルダーと、この刃ホルダーを先端に設けて前記剃刀刃と直交状に位置する柄体と、この柄体を水平状に掴持した状態において前記柄体の先端から皮膚面に対し垂直状に当接する位置に構成される前記刃ホルダーと、前記刃ホルダー周辺に確保される空隙からなることを特徴とする安全かみそり。 
【発明の詳細な説明】
【技術分野】
【０００１】
この発明は、毛剃りに用いる安全かみそりの形状に関する。
【背景技術】
【０００２】
従来の安全かみそりの形状は柄体と刃ホルダーで構成されたＴ字型かみそりが知られているが毛剃り範囲が確認しずらいという問題点があった。 このような弊害を解決するために、たとえば特許出願公開番号２００１−１２９２７４号や２００２−１６６０７５号に示されるように毛剃り範囲の視界を確保する為に 透視用空隙を設けたり柄体を細く形成されるものも提案されている。 
【先行技術文献】
【特許文献】
【０００３】
【特許文献１】特開２００１−１２９２７４号公報
【特許文献２】特開２００２−１６６０７５号公報
【発明の概要】
【発明が解決しようとする課題】
【０００４】
しかしながら、上述の先行技術文献に記載の安全かみそりによれば、使用時における安全かみそりの刃ホルダーの当接位置と周辺の視界を確認できるのは刃ホルダー上方及び側方に限られるのでこめかみや眉毛周辺などの毛剃り範囲において、 必要な毛髪や眉毛の位置と剃刀刃の当接位置を確認できる 刃ホルダー下方からの周辺の視界が、柄体の幅により遮られてしまい必要な毛髪や眉毛を剃り落としてしまう恐れがある。（図５参照）   また、毛剃り範囲の視界を確保する為に柄体の幅を細く形成したり透視用空隙を設ける為に柄体の幅よりも細い連結部品で構成される為、継続使用中に柄体の強度不足が原因により柄体が折れて、肌を傷つけてしまう事がある。（図６参照）及び（図７参照）       そこで、この発明は、このような従来の形状が有していた問題を解決しようとするものであり、精密で効率的な毛剃りを提供することを課題とする。
【課題を解決するための手段】
【０００５】
以上の課題を解決するために、第一発明は、剃刀刃と、この剃刀刃を保持する刃ホルダーと、この刃ホルダーを先端に設けて前記剃刀刃と直交状に位置する柄体と、この柄体を水平状に掴持した状態において、前記柄体の先端から皮膚面に対し垂直状に当接する位置に構成される前記刃ホルダーと、前記刃ホルダー周辺に確保される空隙からなる事を特徴とする安全かみそりである。 
【発明の効果】
【０００６】
第一発明によれば、柄体を水平状に掴持することにより、 この柄体が皮膚面に対し垂直状に保持され、 前記柄体の先端に位置する皮膚面に対し, 垂直状に当接する刃ホルダーの周辺には、鏡面から向かって、 柄体の幅による視界の遮られが無い空隙が確保される。この空隙から刃ホルダーの当接位置と、周辺の視界を上方、側方及び、剃刀刃の皮膚面に対する当接位置と 必要な毛髪や眉毛の位置を確認できる刃ホルダー下方の視界を 三方向から確認する事により、 必要な毛髪や眉毛の剃り落としを回避することができる。（図４参照）       
また、従来の安全かみそりのように視界を確保する為に柄体の幅を細くしたり、透視用空隙を設ける連結部品を接続する構成は採用されていない 本発明の安全かみそりは、柄体の幅を太くし形成して強度を確保する事で 使用中に柄体が折れ肌を傷つける事故を回避する安全性の高い 安全かみそりを提供する事ができる。また、柄体の加工工程が少ない分製造のコストカットが期待でき デザインや携帯性にも優れているので外出先でも容易に毛剃りを行う事ができる。 また、視界の確保に優れる本発明の安全かみそりは、 にきび等の皮膚疾患などの炎症箇所を回避して毛剃りを行うことが容易になる。 
【図面の簡単な説明】
【０００７】
【図１】この発明の一実施形態を示す斜視図である。
【図２】この発明の一実施形態を示す側面図である。
【図３】この発明の一実施形態を示す平面図である。
【図４】本発明に係る安全かみそりの作用を説明した図である。
【図５】従来技術に係る安全かみそりの作用を説明した図である。
【図６】従来技術の安全かみそりの平面図である。
【図７】従来技術の改良型安全かみそりの平面図である。
【発明を実施するための形態】
【０００８】
この発明の一実施形態を図１に示す。図１は本発明の実施形態を示す斜視図で、剃刀刃４と剃刀刃４を保持する刃ホルダー１とこの刃ホルダー１を先端に設けて剃刀刃４と直交状に位置する柄体２に この柄体２を水平状に掴持した状態において、 刃ホルダー１が皮膚面に対し垂直状に当接する位置に構成されることにより刃ホルダー１上方に透視用空隙９が確保され、刃ホルダー１側方に透視用空隙１０が確保され、刃ホルダー１下方に透視用空隙１１が確保される。       
【０００９】
剃刀刃４は鋼やステンレス製で、一枚刃または複数枚刃で形成され、刃ホルダー１や柄体２は材料に成形可能な金属や合成樹脂を用い、刃ホルダー１の全幅７は一例として、眉間やこめかみ、毛髪の生え際など狭い毛剃り範囲に適応する為に１２ｍｍ以下にすると良い。       
刃ホルダー１と柄体２の装着方法は柄体２の先端と一体形成された固定式または替え刃交換式や首振り稼動式に対応した刃ホルダー装着部品を用いても構わない。       
また、一例として柄体２は長さ１２０ｍｍ、幅１０ｍｍ、高さ１０ｍｍで形成され形状は平板状で、凹凸状の滑り止め３が付いている湾曲状が望ましい。       
【００１０】
このように、上記の構成に係る本発明の安全かみそり１３は柄体２を水平状に掴持した状態において、使用時に鏡５から見た刃ホルダー１の上方の視界は、透視用空隙９の存在により確保される。 また、従来の技術による改良型安全かみそり１４のような 刃ホルダー連結部品６を接続する構成を採用していない本発明の安全かみそり１３は、刃ホルダー１の左右両端部１２ａ，１２ｂの視界が 刃ホルダー連結部品６による視界の遮られが無く、 透視用空隙１０の存在により確保される。 また、刃ホルダー１の皮膚面に対する剃刀刃４の当接位置と 必要な毛髪や眉毛の位置を確認する刃ホルダー下方の視界は 従来技術による安全かみそり１５のような柄体の幅による視界の遮られが無く、透視用空隙１１の存在により、視界が充分に確保される。       
以上述べたように、本発明の安全かみそり１３によれば、 柄体２を水平に掴持した状態において、刃ホルダー１の上方はもとより、側方、下方からの全ての視界が 柄体２の幅８による視界の遮られが無く充分に確保されることで 必要な毛髪や眉毛の剃り落としを回避できる特徴がある。       
また、従来の安全かみそりの柄体１５のように視界を確保する為に柄体の幅を細くしたり、透視用空隙を設ける為の連結部品６を接続する構成は採用されていない本発明の安全かみそり１３は、柄体２の幅８を太くし形成して強度を確保する事で 使用中に柄体が折れ肌を傷つける事故を回避する安全性の高い 安全かみそりを提供する事ができる。 
また、上述の実施形態において、柄体、刃ホルダー、剃刀刃、滑り止め、刃ホルダー装着部品の各部の構造、形状、形成、寸法、材質、個数などは、本発明の趣旨に沿って適宜変更することができる。
【符号の説明】
【００１１】
１    刃ホルダー         
２    柄体       
３    滑り止め       
４    剃刀刃       
５    鏡       
６    従来技術による刃ホルダー連結部品       
７    刃ホルダーの幅         
８    柄体の幅 
９    刃ホルダー上方の透視用空隙 
１０  刃ホルダー側方の透視用空隙 
１１  刃ホルダー下方の透視用空隙 
１２ａ，１２ｂ  刃ホルダー左右両端部 
１３   本発明の安全かみそり 
１４   従来技術の改良型安全かみそり 
１５   従来技術の安全かみそりの柄体 
【図１】
2015100584.tif 000003
【図２】
2015100584.tif 000004
【図３】
2015100584.tif 000005
【図４】
2015100584.tif 000006
【図５】
2015100584.tif 000007
【図６】
2015100584.tif 000008
【図７】
2015100584.tif 000009
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
剃刀刃と、この剃刀刃を保持する刃ホルダーと、この刃ホルダーを先端に設けて前記剃刀刃と直交状に位置する柄体と、この柄体を水平状に掴持した状態において前記柄体の先端から皮膚面に対し垂直状に当接する位置に構成される前記刃ホルダーからなることを特徴とする安全かみそり。
【手続補正２】
【補正対象書類名】明細書
【補正対象項目名】０００５
【補正方法】変更
【補正の内容】
【０００５】
剃刀刃と、この剃刀刃を保持する刃ホルダーと、この刃ホルダーを先端に設けて前記剃刀刃と直交状に位置する柄体と、この柄体を水平状に掴持した状態において前記柄体の先端から皮膚面に対し垂直状に当接する位置に構成される前記刃ホルダーからなることを特徴とする安全かみそり。
【手続補正３】
【補正対象書類名】明細書
【補正対象項目名】０００６
【補正方法】変更
【補正の内容】
【０００６】
第一発明によれば、柄体を水平状に掴持することにより、この柄体が皮膚面に対し垂直状に保持され、前記柄体の先端に位置する皮膚面に対し,  垂直状に当接する刃ホルダーの周辺には、鏡面から向かって、柄体の幅による視界の遮られが無い視界が確保される。
この視界から刃ホルダーの当接位置と、周辺の視界を上方、側方及び、剃刀刃の皮膚面に対する当接位置と必要な毛髪や眉毛の位置を確認できる刃ホルダー下方の視界を三方向から確認する事により、必要な毛髪や眉毛の剃り落としを回避することができる。（図４参照）
また、従来の安全かみそりのように視界を確保する為に柄体の幅を細くしたり、透視用視界を設ける連結部品を接続する構成は採用されていない本発明の安全かみそりは、柄体の幅を太くし形成して強度を確保する事で使用中に柄体が折れ肌を傷つける事故を回避する安全性の高い安全かみそりを提供する事ができる。
また、柄体の加工工程が少ない分製造のコストカットが期待できデザインや携帯性にも優れているので外出先でも容易に毛剃りを行う事ができる。
また、視界の確保に優れる本発明の安全かみそりは、にきび等の皮膚疾患などの炎症箇所を回避して毛剃りを行うことが容易になる。
【手続補正４】
【補正対象書類名】明細書
【補正対象項目名】０００８
【補正方法】変更
【補正の内容】
【０００８】
この発明の一実施形態を図１に示す。
図１は本発明の実施形態を示す斜視図で、剃刀刃４と剃刀刃４を保持する刃ホルダー１と
この刃ホルダー１を先端に設けて剃刀刃４と直交状に位置する柄体２にこの柄体２を水平状に掴持した状態において刃ホルダー１が皮膚面に対し垂直状に当接する位置に構成されることにより、刃ホルダー１上方に透視用視界９が確保され、刃ホルダー１側方に透視用視界１０が確保され、刃ホルダー１下方に透視用視界１１が確保される。
【手続補正５】
【補正対象書類名】明細書
【補正対象項目名】００１０
【補正方法】変更
【補正の内容】
【００１０】
このように、上記の構成に係る本発明の安全かみそり１３は柄体２を水平状に掴持した状態において、使用時に鏡５から見た刃ホルダー１の上方の視界は、透視用視界９の存在により確保される。
また、従来の技術による改良型安全かみそり１４のような刃ホルダー連結部品６を接続する構成を採用していない本発明の安全かみそり１３は、刃ホルダー１の左右両端部１２ａ，１２ｂの視界が刃ホルダー連結部品６による視界の遮られが無く、透視用視界１０の存在により確保される。
また、刃ホルダー１の皮膚面に対する剃刀刃４の当接位置と必要な毛髪や眉毛の位置を確認する刃ホルダー下方の視界は従来技術による安全かみそり１５のような柄体の幅による視界の遮られが無く、透視用視界１１の存在により、視界が充分に確保される。
以上述べたように、本発明の安全かみそり１３によれば、柄体２を水平に掴持した状態において、安全かみそり１３の上方はもとより、側方、下方からの全ての視界が柄体２の幅８による視界の遮られが無く充分に確保されることで必要な毛髪や眉毛の剃り落としを回避できる特徴がある。
また、従来の安全かみそり１５のように視界を確保する為に柄体の幅を細くしたり、透視用視界を設ける為の連結部品６を接続する構成は採用されていない本発明の安全かみそりは、柄体の幅を太くし形成して強度を確保する事で使用中に柄体が折れ肌を傷つける事故を回避する安全性の高い安全かみそりを提供する事ができる。
また、上述の実施形態において、柄体、刃ホルダー、剃刀刃、滑り止め、刃ホルダー装着部品の各部の構造、形状、形成、寸法、材質、個数などは、本発明の趣旨に沿って適宜変更することができる。
【手続補正６】
【補正対象書類名】明細書
【補正対象項目名】００１１
【補正方法】変更
【補正の内容】
【００１１】
１    刃ホルダー  
２    柄体
３    滑り止め
４    剃刀刃
５    鏡
６    従来技術による刃ホルダー連結部品
７    刃ホルダーの幅  
８    柄体の幅
９    刃ホルダー上方の透視用視界
１０  刃ホルダー側方の透視用視界
１１  刃ホルダー下方の透視用視界
１２ａ，１２ｂ  刃ホルダー左右両端部
１３   本発明の安全かみそり
１４   従来技術の改良型安全かみそり
１５   従来技術の安全かみそりの柄体
【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
剃刀刃と、この剃刀刃を保持する刃ホルダーと、この刃ホルダーを先端に設けて前記剃刀刃と直交状に位置する柄体と、この柄体を水平状に掴持した状態において前記柄体の先端からこめかみや眉毛周辺の毛剃り範囲の皮膚面に対し、刃ホルダーの皮膚面に対する剃刀刃の当接位置が、鏡面から向かって、垂直状に当接する位置に構成されることを特徴とする安全かみそり。
【手続補正２】
【補正対象書類名】明細書
【補正対象項目名】０００４
【補正方法】変更
【補正の内容】
【０００４】  しかしながら、上述の先行技術文献に記載の安全かみそりによれば、使用時における安全かみそりの刃ホルダーの当接位置と周辺の視界を確認できるのは刃ホルダー上方及び側方に限られるのでこめかみや眉毛周辺などの毛剃り範囲において、眉毛の位置と剃刀刃の当接位置を確認できる刃ホルダー下方からの周辺の視界が、柄体の幅により遮られてしまい眉毛を剃り落としてしまう恐れがある。（図５参照）
また、毛剃り範囲の視界を確保する為に柄体の幅を細く形成したり透視用空隙を設ける為に柄体の幅よりも細い連結部品で構成される為、継続使用中に柄体の強度不足が原因により柄体が折れて、肌を傷つけてしまう事がある。（図６参照）及び（図７参照）
そこで、この発明は、このような従来の形状が有していた問題を解決しようとするものであり、精密で効率的な毛剃りを提供することを課題とする。
【手続補正３】
【補正対象書類名】明細書
【補正対象項目名】０００５
【補正方法】変更
【補正の内容】
【０００５】以上の課題を解決するために、第一発明は、剃刀刃と、この剃刀刃を保持する刃ホルダーと、この刃ホルダーを先端に設けて前記剃刀刃と直交状に位置する柄体と、この柄体を水平状に掴持した状態において前記柄体の先端からこめかみや眉毛周辺の毛剃り範囲の皮膚面に対し、刃ホルダーの皮膚面に対する剃刀刃の当接位置が、鏡面から向かって、垂直状に当接する位置に構成されることを特徴とする安全かみそり。
【手続補正４】
【補正対象書類名】明細書
【補正対象項目名】０００６
【補正方法】変更
【補正の内容】
【０００６】第一発明によれば、柄体を水平状に掴持することにより、前記柄体の先端に位置するこめかみや眉毛周辺の毛剃り範囲の皮膚面に対し，刃ホルダーの皮膚面に対する剃刀刃の当接位置が、鏡面から向かって、垂直状に当接する刃ホルダーの周辺には、鏡面から向かって、柄体の幅による視界の遮られが無い視界が確保される。
この視界から刃ホルダーの当接位置と、周辺の視界を上方、側方及び、剃刀刃のこめかみや眉毛周辺の毛剃り範囲の皮膚面に対する刃ホルダーの皮膚面に対する剃刀刃の当接位置と眉毛の位置を確認できる刃ホルダー下方の視界を三方向から確認する事により、眉毛の剃り落としを回避することができる。（図４参照）
また、従来の安全かみそりのように視界を確保する為に柄体の幅を細くしたり、透視用視界を設ける連結部品を接続する構成は採用されていない本発明の安全かみそりは、柄体の幅を太くし形成して強度を確保する事で使用中に柄体が折れ肌を傷つける事故を回避する安全性の高い安全かみそりを提供する事ができる。
また、柄体の加工工程が少ない分製造のコストカットが期待できデザインや携帯性にも優れているので外出先でも容易に毛剃りを行う事ができる。
また、視界の確保に優れる本発明の安全かみそりは、にきび等の皮膚疾患などの炎症箇所を回避して毛剃りを行うことが容易になる。
【手続補正５】
【補正対象書類名】明細書
【補正対象項目名】０００８
【補正方法】変更
【補正の内容】
【０００８】この発明の一実施形態を図１に示す。
図１は本発明の実施形態を示す斜視図で、剃刀刃４と剃刀刃４を保持する刃ホルダー１とこの刃ホルダー１を先端に設けて剃刀刃４と直交状に位置する柄体２に、この柄体２を水平状に掴持した状態において刃ホルダー１がこめかみや眉毛周辺の毛剃り範囲の皮膚面に対し刃ホルダーの皮膚面に対する剃刀刃の当接位置が、鏡面から向かって、垂直状に当接する位置に構成されることにより、刃ホルダー１上方に透視用視界９が確保され、刃ホルダー１側方に透視用視界１０が確保され、刃ホルダー１下方に透視用視界１１が確保される。
【手続補正６】
【補正対象書類名】明細書
【補正対象項目名】０００９
【補正方法】変更
【補正の内容】
【０００９】剃刀刃４は鋼やステンレス製で、一枚刃または複数枚刃で形成され、刃ホルダー１や柄体２は材料に成形可能な金属や合成樹脂を用い、刃ホルダー１の全幅７は一例として、こめかみや眉毛周辺の毛剃り範囲の皮膚面に適応する為に１２ｍｍ以下にすると良い。刃ホルダー１と柄体２の装着方法は柄体２の先端と一体形成された固定式または替え刃交換式や首振り稼動式に対応した刃ホルダー装着部品を用いても構わない。
また、一例として柄体２は長さ１２０ｍｍ、幅１０ｍｍ、高さ１０ｍｍで形成され形状は平板状で、凹凸状の滑り止め３が付いている湾曲状が望ましい。
【手続補正７】
【補正対象書類名】明細書
【補正対象項目名】００１０
【補正方法】変更
【補正の内容】
【００１０】このように、上記の構成に係る本発明の安全かみそり１３は柄体２を水平状に掴持した状態において、使用時に鏡５から見た刃ホルダー１の上方の視界は、透視用視界９の存在により確保される。また、従来の技術による改良型安全かみそり１４のような刃ホルダー連結部品６を接続する構成を採用していない本発明の安全かみそり１３は、刃ホルダー１の左右両端部１２ａ，１２ｂの視界が刃ホルダー連結部品６による視界の遮られが無く、透視用視界１０の存在により確保される。また、こめかみや眉毛周辺の毛剃り範囲の刃ホルダー１の皮膚面に対する剃刀刃４の当接位置と眉毛の位置を確認する刃ホルダー下方の視界は従来技術による安全かみそり１５のような柄体の幅による視界の遮られが無く、透視用視界１１の存在により、視界が充分に確保される。
以上述べたように、本発明の安全かみそり１３によれば、柄体２を水平状に掴持した状態において、安全かみそり１３の上方はもとより、側方、下方からの全ての視界が柄体２の幅８による視界の遮られが無く充分に確保されることで眉毛の剃り落としを回避できる特徴がある。
また、従来の安全かみそり１５のように視界を確保する為に柄体の幅を細くしたり、透視用視界を設ける為の連結部品６を接続する構成は採用されていない、本発明の安全かみそりは、柄体の幅を太く形成して強度を確保する事で使用中に柄体が折れ肌を傷つける事故を回避する安全性の高い安全かみそりを提供する事ができる。また、上述の実施形態において、柄体、刃ホルダー、剃刀刃、滑り止め、刃ホルダー装着部品の各部の構造、形状、形成、寸法、材質、個数などは、本発明の趣旨に沿って適宜変更することができる。